(57)【要約】【課題】コントラスト比および表示色の視角依存性を改善した液晶表示素子およびこれに使用する光学異方素子を得る。【解決手段】２枚の偏光板１，４と、これら２枚の偏光板間に配置された駆動用液晶セルを具備する液晶表示素子において、  前記偏光板と前記駆動用液晶セル間に、前記基板３ａ，３ｂの法線に対して傾けた方向での旋光性が、前記基板の法線の方向での旋光性よりも大きく、前記基板の法線を基準にして対称的に傾けた旋光性の小さい第１の方向と旋光性の大きい第２の方向を有する光学異方素子２を配置して、前記駆動用液晶セルの旋光性の非対称を前記光学異方素子が補償してなる液晶表示素子。【選択図】 図１
2005062901.tif 000002
【特許請求の範囲】
【請求項１】
２枚の偏光板と、これら２枚の偏光板間に配置された駆動用液晶セルを具備する液晶表示素子において、
前記偏光板と前記駆動用液晶セル間に、前記基板の法線に対して傾けた方向での旋光性が、前記基板の法線の方向での旋光性よりも大きく、前記基板の法線を基準にして対称的に傾けた旋光性の小さい第１の方向と旋光性の大きい第２の方向を有する光学異方素子を配置して、前記駆動用液晶セルの旋光性の非対称を前記光学異方素子が補償してなる液晶表示素子。
【請求項２】
光学異方性物質層からなる光学異方素子において、前記光学異方性物質層を構成する光学異方性単位のそれぞれの長軸の向きが単一の軸上に揃って配列し、素子表面の法線に対して傾いた方向での旋光性が、前記法線の方向での旋光性よりも大きいことを特徴とする光学異方素子。
【請求項３】
前記光学異方素子の長軸の角度が光学異方素子表面に対して、前記光学異方素子の層厚方向に連続的あるいは段階的に変化していることを特徴とする請求項２記載の光学異方素子。
【請求項４】
前記光学異方素子の長軸の角度が光学異方素子の一方の側の表面にほぼ平行であり、前記光学異方素子の他の側の表面の法線にほぼ沿うように前記光学異方素子の層内で変化している請求項２記載の光学異方素子。
【発明の詳細な説明】
【技術分野】
【０００１】
本発明は、液晶表示素子およびこれに使用する光学異方素子に係わる。
【背景技術】
【０００２】
液晶表示素子は、薄型軽量・低消費電力という大きな利点をもつ為、腕時計や電卓、日本語ワードプロセッサ、パーソナルコンピュータ等のディスプレイとしてだけではなく、液晶表示素子の利点を積極的に活用した新規な構想の製品にも活用されている。中でもパーソナルコンピュータなどに用いられる液晶表示素子は、大面積・大容量表示化しており、表示面の大きさが対角１０インチ、６４０×４８０画素といったものが主流になってきた。このクラスの液晶表示素子に用いられている表示方式としては、大きく２つに分類できる。１つは、単純マトリクス方式、もう１つはアクティブマトリクス方式である。
【０００３】
単純マトリクス方式は、液晶を櫛形の透明電極が付いた２枚のガラス基板で挟んだけの単純な構造をしている。それゆえ、単純マトリクス方式においては、液晶に高い性能が要求される。この性能を説明する前に、液晶表示素子の表示原理について説明する。液晶表示素子の表示は、液晶にかかる電圧を変化させて液晶分子の向き変化させて表示を行っている。一般に、大きなコントラスト比を得るには大きな電圧差が必要である。しかし、６４０×４８０画素もの表示を実現するには、暗と明の電圧差は約１Ｖと小さく、１Ｖ差だけで液晶分子の大きな状態変化が要求される。これを実現するため、多くの研究がなされてきたが、１９８５年、シェーファらの研究グループは液晶分子の配列のねじれ角（ツイスト角）を大きくすることで配列の変化が電圧に対して敏感に変化し、また、大きなねじれ角で安定な配列を得るには、液晶分子はある程度の傾きを持っていることが必要であることを見いだした。この研究報告以来、これを実現するための配向技術が盛んに行われ実用化に成功した。
【０００４】
配列６４０×４８０画素もの表示を実現するには、一般にツイスト角は１８０゜以上必要であり、このようにツイスト角が大きいことから、この液晶をスーパーツイストネマティック（ＳＴＮ）と呼ばれた。しかし、初期のＳＴＮディスプレイは背景が黄色で緑の文字表示など表示に色づきがあり、白黒の表示ではなかった。これは、ツイスト角が大きいためで、このような表示の着色を解消する手段として、液晶層の配列が逆の方向にねじれた第２の液晶セルを偏光板と液晶セルの間に配置することによって白黒表示を実現できることが例えば特許文献１に報告されている。
【０００５】
この白黒化の原理は、液晶分子がねじれ配列とされる第１の液晶セルを透過し旋光分散を生じた光を、第１の液晶セルと対象構造の第２の液晶セルに透過させることによって旋光分散を解消した。その結果、光の旋光分散に起因する着色が解消され、白黒表示を実現することができる。このような変換を正確に変換を行うには、光学補償板である第２の液晶セルは、第１の液晶セルとリタデーション値がほぼ同一で、かつねじれ方向が相互間で逆であり、それらの配置は、相互に最近接する液晶分子の配向方位が直交するように構成することが必要である。
【０００６】
この他の手段としては、前述した第２の液晶セルの替わりに光学異方性フィルムを用いる手法も種々提案されている。これは、光学異方性フィルムを液晶セル上に積層することにより、第２の液晶セルとほぼ同一な機能をもたせる手法である。
【０００７】
以上述べた光学補償によりＳＴＮディスプレイでも白黒表示が可能となり、更にカラーフィルタとの組み合わせにより、より付加価値の高いカラー表示も実現することができる。しかし、単純マルチプレクス方式は、電圧平均化法に基づく時分割駆動を原理としている為、表示容量を増大するために走査線数を増加すると、光を遮断する際の電圧値と、光を透過させるの際の電圧値との差が著しく減少し、その結果コントラスト比が小さくなったり、液晶の応答速度が遅くなる本質的な問題がある。また、この様な従来技術は、液晶表示素子を見る時の方位や角度によって表示画が反転して見えたり、表示画が全く見えなくなったり、あるいは表示が色づくといった現象として観測され、より表示品位の高い液晶表示素子を実現する際、大きく問題となる。
【０００８】
一方、アクティブマトリクス方式は、各表示画素ごとに薄膜トランジスタやダイオードからなるスイッチング素子を具備しているため、走査線の数に関係なく各画素の液晶層に任意の電圧比を設定できる。従って、単純マトリクス方式の場合の様な特別な性能は液晶には要求されない。ツイスト角をＳＴＮのように大きくする必要はなく、９０゜とされている。
【０００９】
ツイスト角が９０゜の液晶セル（ＴＮ）は、ねじれ角が小さく光がねじれに忠実に追随して旋光するために旋光分散が小さく、無彩色で高コントラストな表示が得られる。また、電圧に対する応答もＳＴＮより速い。アクティブマトリクス方式とＴＮとを組み合わせることにより、大表示容量でコントラスト比が高く、応答速度が速い液晶表示素子が実現することができる。また、各画素毎にスイッチング素子があるため中間的電圧を印加できこれにより中間調表示も可能である。更に、カラーフィルタと組み合わせることにより、フルカラー表示も実現が容易である。
【００１０】
しかし、アクティブマトリクス方式の場合でも、２値表示をした場合にはそれほどでもないが、中間調を表示したときに、見る方向によって表示画が反転して見えたり、表示画が全く見えなくなったり、あるいは表示が色づくといった現象として観測され、より表示品位の高い液晶表示素子を実現する際、大きく問題となる。
【００１１】
このような表示の視角依存性を低減させる手段として、例えば特許文献２に、２枚の偏光板の間に液晶セルと光学異方性が厚み方向に負のポリマーフィルムである複屈折層を配置することが開示されている。一方、特許文献３に、螺旋ピッチ長と屈折率の積が４００ｎｍ以下のコレステリック液晶相を示す液晶化合物（または高分子液晶）からなる複屈折層を液晶セル上に配置することが開示されている。これら２つの提案は、垂直配列（配向基板に対して液晶分子が垂直に配列したもの）した液晶セルの場合しか考案されてなく、ＴＮ方式やＳＴＮ方式のようなねじれた配列をした液晶セルの場合には考えられていない。また、特許文献４にツイスト角３６０゜以上の配列で、チルト角をもつ光学補償素子で液晶表示素子の視野角を制御する提案もあるが、階調表示をした場合には視野角拡大の効果がまだ十分とはいえない。
【特許文献１】特公昭６３−５３５２８号公報
【特許文献２】特開昭６２−２１４２３号公報
【特許文献３】特開平３−６７２１９号公報
【特許文献４】特開平３−１２１５７８号公報
【発明の開示】
【発明が解決しようとする課題】
【００１２】
以上述べた液晶表示素子の基本的な表示原理は、液晶に印加する電圧により液晶分子の向きを変化させ、液晶セルに光学的な変化を生じさせて光制御を行なうところにある。
【００１３】
従って、液晶表示素子を傾けてみると液晶分子の向きが変化して見え方が変わる視角依存性があり、特に微妙な中間調を表示する場合、液晶分子の傾き具合を細かく変化させるのでより視角依存性が顕著である。
【００１４】
このような、液晶分子の配列の見え方の視角依存性により、表示画が反転して見えたり全く識別できなかったりするといった現象として観測され、特にカラーフィルターと組み合わせてフルカラー表示を行う際には、表示画の再現性が著しく低下し大きく問題となる。
【００１５】
本発明は上記不都合を解決するものであり、コントラスト比および表示色の視角依存性を改善した液晶表示素子およびこれに使用する光学異方素子を得るものである。
【課題を解決するための手段】
【００１６】
本発明は、以下に示す液晶表示素子および光学異方素子である。
【００１７】
(1)  ２枚の偏光板と、これら２枚の偏光板間に配置された駆動用液晶セルを具備する液晶表示素子において、
前記偏光板と前記駆動用液晶セル間に、前記基板の法線に対して傾けた方向での旋光性が、前記基板の法線の方向での旋光性よりも大きく、前記基板の法線を基準にして対称的に傾けた旋光性の小さい第１の方向と旋光性の大きい第２の方向を有する光学異方素子を配置して、前記駆動用液晶セルの旋光性の非対称を前記光学異方素子が補償してなる液晶表示素子。
【００１８】
(2)  光学異方性物質層からなる光学異方素子において、前記光学異方性物質層を構成する光学異方性単位のそれぞれの長軸の向きが単一の軸上に揃って配列し、素子表面の法線に対して傾いた方向での旋光性が、前記法線の方向での旋光性よりも大きいことを特徴とする光学異方素子。
【００１９】
(3)  前記光学異方素子の長軸の角度が光学異方素子表面に対して、前記光学異方素子の層厚方向に連続的あるいは段階的に変化していることを特徴とする光学異方素子。
【００２０】
(4)  前記光学異方素子の長軸の角度が光学異方素子の一方の側の表面にほぼ平行であり、前記光学異方素子の他の側の表面の法線にほぼ沿うように前記光学異方素子の層内で変化している光学異方素子。
【００２１】
ここに、本発明における光学異方性単位とは、厚さのある光学異方素子が一例として複数の層の積層構造である場合、これらの各層をいう。各層はそれぞれが特定の方向を向いた光軸を有している単位であり、これを積層した場合に、光軸が徐々に連続的または段階的にその傾きを変化する構成を有する。本発明においては、光学異方素子が、層構造を有さないが、光軸が厚さ方向に変化する構成も、光学異方性単位の光軸が厚さ方向に連なって変化するものと定義する。
【発明の効果】
【００２２】
本発明によれば、液晶表示素子のコントラスト、表示色の視角特性が改善され、視認性にすぐれる高品位表示の液晶表示素子を提供することができる。
【００２３】
なお、本発明はＴＦＴを用いたＴＮ−ＬＣＤのみについて触れたが、ＭＩＭなどを用いたアクティブマトリクスおよびＳＴＮなどのシンプルマトリクス液晶表示素子その他に応用しても優れた効果が得られることは言うまでもない。
【発明を実施するための最良の形態】
【００２４】
本発明は、上記により課題を解決するものであり、液晶表示素子のコントラスト比や階調表示時の明るさ・表示色の視角依存性を同時に軽減する、もしくは、液晶表示素子のある特定のコントラスト比が得られる領域をある特定の方位、視角に制御しようとするものであるが、その作用について以下に説明する。
【００２５】
ＴＮやＳＴＮなどの液晶表示素子において、光が液晶表示素子の表示面に垂直に入射する場合と斜めに入射する場合とでは、液晶表示素子中を伝搬する光の偏光状態は異なり、この偏光状態の違いが表示画の反転現象や着色現象に直接反映する。この様な現象は、液晶表示素子の表示面を見る角度を表示面法線（正面）から大きく傾けていくと観測され、特に液晶層に電圧を印加する手段を有する液晶セル（以下駆動セルと呼ぶ）の液晶層に電圧が印加されている画素で顕著に見られる。
【００２６】
図２３（ａ）、（ｂ）は、従来のＴＮ液晶表示素子の表示面（基板面）法線から左右および上下方向に０゜から６０゜まで傾いた時の表示輝度の角度依存性を示す図である。１から８レベルと示されているのは、階調表示の各階調番号で、液晶セルに印加される電圧が順に異なっている。レベル１は０Ｖ、レベル８は５Ｖが液晶セルに印加されている。例えば、上方位の場合、ディスプレイの表示面の法線から傾ける角度（視角）を０゜（正面）から６０゜へと大きくなるにつれて、輝度はだんだん大きくなっている。実際の表示では、表示色が白っぽくなる（白抜け）として観測される。
【００２７】
一方、図２３（ｂ）に示すように、下方位についてみると、視角を正面（０゜）から６０゜へと傾けていくと、上方位とは逆に輝度は低下していく。この現象は、実際の表示画においては、表示色が暗くなる（黒つぶれ）として観測される。また、正面において、もっとも明るい表示レベル１とそれより低い階調レベル２は、上方位の視角３５゜で大小関係が逆転しており、実際の表示画においては、写真のフィルムのネガの様な反転した表示（反転）として観測される。どの階調レベルに関しても視角変化しても透過率が変化しないのが理想である。しかし、実際のＴＮの視角特性は図２３に示した様に左右方位の特性は比較的良いが、上下方位の特性が悪い。
【００２８】
このような現象がおきるのは上述のように液晶表示素子の視角特性は、液晶表示素子を入射する光の入射角度により偏光状態が異なることに起因するからであるが、これについてＴＮ型を例に詳しく説明する。
【００２９】
図３にＴＮ−ＬＣＤ（ＴＮ型液晶素子）の動作原理を示す。図３（ａ）は電極３ｃ、３ｄに電圧無印加時のＴＮセル中の液晶分子ＬＭの配列状態を示している。電圧Ｖが印加されていない時には、液晶分子は基板に対してほぼ平行に液晶層の厚さ方向（図ではＺ軸の方向）に液晶分子同士が平行になって連続的にねじれた配列をしている。液晶分子は分子長軸方向に光軸を有しており、液晶分子の並列配列がひとつの光軸面を形成する。この配列に入射光ＬA のうち偏光子Ｐｉにより偏光された光Ｌｉが入射すると、偏光面は液晶分子ＬＭのねじれ配列に従って回転し、液晶層をでたところでは偏光面は、液晶層を入る前の偏光面に対し液晶層のツイスト角分回転する。この回転した方向に検光子Ｐｏの透過軸Ｐｏｔを合わせると透過光Ｌｏが得られる。
【００３０】
図３（ｂ）は、電圧印加時のＴＮセル中の液晶分子の配列状態を示している。電圧Ｖの印加により液晶分子ＬＭは立ち上がり、セルの中央付近の液晶分子ＬＭｃは電極近傍の液晶分子ＬＭｓよりも傾く。電極３ｃ、３ｄ近傍の液晶分子ＬＭｓの傾きが小さいのは、電極−液晶層界面の配向規制力（液晶を配列させるために必要）があるためである。電圧Ｖの大きさに応じて液晶分子の傾きが大きくなり、これと同時にねじれ配列も歪み、電圧が更に大きくなるとついにはねじれが解かれる。このような状態に偏光Ｌｉが入射すると、ねじれ配列ではないために、すなわち光軸面が単一の軸上にあるために、偏光面Ｌｐは回転せず液晶層を進行し、液晶層を出たところでは偏光面は液晶層に入射する前と変わらない。従って、検光子Ｐｏの透過軸Ｐｏｔは偏光面Ｌｐと直交するので偏光は透過できない。また、中間調を表示するには液晶層に印加する電圧の大きさをこれより小さく設定し、配列のねじれ配列を若干残し、液晶層を出射する偏光面を幾分回転させて中間の透過光を得る。
【００３１】
以上の原理により、ＴＮ素子は透過光をねじれ配列の歪みを利用して制御している。次に、斜め方向の光に対してはどのような現象が起きるのか説明する。
【００３２】
図４は中間調を表示する時の分子配列状態に斜めから光が入射する状態を説明する図である。図４（ａ）は、中間調表示時の分子配列状態ＬＭint と２つの入射光の方向Ｌ、Ｕの関係を示す斜視図で、これをよりわかりやすくするため、Ｙ軸方向から見た図を図４（ｂ）、（ｃ）に示す。ここに駆動用液晶セルの基板の法線方向をＺ軸、基板面をＸＹ軸で表している。上下の基板の電極３ｃ、３ｄ付近の液晶分子ＬＭｓは基板面に対してやや傾きをもって配列している。この傾きはプレチルトと呼ばれ、一般に、プレチルトとは基板−液晶界面における液晶分子の傾きのことを示し、その傾きの角度をプレチルト角α０という。電圧無印加時には、上下の基板３ａ、３ｂ間にわたり同一の角度でもって傾いている。電圧Ｖが印加される領域にわたり所定の傾き（プレチルト）があると、電圧が印加された際の傾き方向がプレチルトの方向に揃うので、その結果均一な表示ができる。もし、プレチルトがない場合には、電圧が印加された時に液晶分子の傾く方向がまちまちとなり、傾き方向の異なる領域の境界に欠陥線が発生し表示品位を著しく低下させる原因となる。従って、均一な表示を得るにはプレチルトは不可欠であり、その角度は１゜から６゜が一般的である。液晶表示素子には、全てプレチルトが付与されている。
【００３３】
従って、図４（ｂ）、（ｃ）に示したように、特に中間調を表示した際には、液晶分子の配列状態はＺ軸に対して非対称になる。図４（ｂ）の＋Ｘ軸から＋Ｚ軸の方向へ斜めに入射する偏光Ｌに関しては、図５のＬＭ−Ｌに示した様に、配列は液晶分子ＬＭに傾きがない状態（あたかも電圧無印加の配列状態）となり偏光面は大きく回転することができる。その結果、透過光は正面からの入射光（Ｚ軸に平行な光）に対する出射光の強度よりも大きくなる。一方、図４（ｃ）のようにこれと反対の基板法線を基準にして対称的な方位から（−Ｘ軸から＋Ｚ軸の方向へ斜めに）入射する偏光Ｕに対しては、図５のＬＭ−Ｕに示した様に、配列は液晶分子ＬＭが大きく傾いた状態（あたかも更に大きな電圧が印加された配列状態）となり偏光面は回転することができなくなる。その結果、透過光は正面からの入射光（Ｚ軸に平行な光）に対する出射光の強度よりも小さくなる。図２３との対応関係は、図４のＬの方位は図２３（ｂ）の上方位に、図４のＵの方位は、図２３（ｂ）の下方位に相当する。
【００３４】
以上説明したように、中間調での透過光の方位依存性は液晶分子の配列の非対称性に起因する。この配列の非対称性は、光が入射する方位により偏光面の回転（旋光性）角度が異なり、その結果透過率に変化を生じる。ＴＮ−ＬＣＤでは、上方位では旋光性が生じ、下方位では旋光性が減る傾向があるといえる。従って、これを改善するには上方位で旋光性が減り、下方位で旋光性が生じる光学異方素子を加えることにより、液晶表示素子の視角依存性を改善することができる。本発明の主旨は、如何にしてこのような特性をもつ光学異方素子を提供するかというところにある。
【００３５】
次に、具体的に本発明の光学異方素子について説明する。
【００３６】
まず、光学異方素子に要求される特性をまとめると、求められる特性は「上方位と下方位間で旋光の回転方向が逆」ということになる。図６は、本発明の光学異方素子の光軸の配列状態を示す図で、図６（ａ）は本発明の実施形態の光学異方素子の断面図であり、楕円で示されているのは光学異方素子を構成する光学異方体ＬＤを示しており楕円の長軸が光軸ＯL に相当する。下側の基板３ｄから上側の基板３ｃにかけて長軸の傾きが連続的に変化しており、下の基板３ｄ付近では基板面に対しほぼ平行で上の基板３ｃ付近ではほぼ垂直である（ハイブリット配向）。この配列を上から見た例が図６（ｂ）に示されている。図中の楕円内の矢印は、光軸の向きを示している。層内のそれぞれの光軸の向きが同一平面上にあり、すなわち単一の軸上に揃って配列している。図６（ｃ）はＺ軸から斜めに観測したときの配列図である。傾き方向は図中のＸＹＺ軸で示されている。これと逆の斜め方向から見た図を図６（ｄ）に示した。図６（ｃ）、（ｄ）から分かるように、図６（ａ）の配列をＺ軸より斜めから観測すると、（ｃ）では下から上に進行するに従い進行方向からみて左ねじれ、（ｄ）ではこの逆の右ねじれで配列している。この様に斜め配列している光学異方素子により、先ほど述べた「上方位と下方位間で旋光の回転方向が逆」という性質が実現できる。
【００３７】
次に、この様な光学異方素子をどのように駆動用液晶セルと組み合わせると良好な補償効果が得られるかを次に説明する。
【００３８】
図７（ａ）は、図３、４、５に示した駆動用液晶セルを、図６と同様に矢印を加えて示した図で、符号Ｌipが入射光の偏光軸、符号Ｌopが出射光の偏光軸を表している。図７（ａ）は光学異方素子を、（ｂ）は中間調に相当する電圧を印加した駆動用液晶セル（ＴＮ）をＺ軸から見た図である。（ｃ）はＺ軸上から＋Ｘ側に倒して見たときの光学異方素子の光軸の配列を示した図であり、図中に直線偏光が入射した場合の旋光状態を示した。この方向では光学異方素子は、入射光の偏光面を左方向に回転させる性質（左旋光能）がある。（ｄ）に（ｃ）と同じ方向から見たときの駆動セルの配列状態を示した。液晶分子は中間調に相当する電圧（液晶が動作する臨界電圧（しきい値電圧）よりやや大きい電圧）が印加されているため斜めに傾いていており、この方向から見ると液晶分子の長軸方向の長さと短軸方向の長さがほぼ同じとなる配向部分が生じる。その為、入射偏光はあまり旋光せずに透過し、出射光の偏光軸Ｌopの方向は入射光の偏光軸Ｌipとほぼ変わらない。これが表示が暗くなる「黒つぶれ」と呼ばれる表示異常の原因であり、この場合、左回りに偏光を旋光させれば（旋光能を増加させる）これが改善される。それには、先ほど示した図（ｃ）の光学異方素子がこれに適合する。図（ｃ）の光学異方素子には左旋光能があり、駆動用液晶セルで足りない旋光を補う。
【００３９】
一方、これと逆方位について、図（ｅ）、（ｆ）を用いて説明する。図（ｅ）（ｆ）は、図（ａ）の光学異方素子をＺ軸の方向から−Ｘ軸より観測したときの光軸の配列を示したもので、図の入射光に対して右に旋回させる特性をもつ（右旋光能）。図（ｆ）は、図（ｄ）と同様中間調の電圧が印加された状態であり、この方向からは実際には液晶分子が傾いているのにもかかわらず傾いていないように見え、その為大きな旋光能がでる。これが表示が必要以上に表示が明るくなる「白抜け」と呼ばれる表示異常の原因となり、左回りの旋光を抑制する右旋光を適用すれば余分な旋光を解消でき「白抜け」が改善される。図（ｅ）の光学異方素子は右旋光能があり、これを駆動セルと組み合わせることで特性改善が得られる。
【００４０】
以上、光学異方素子表面に法線に対して傾いた方向での旋光性が、前記法線の方向での旋光性よりも大きいハイブリット配向の光学異方素子を例にして視野角拡大の原理説明をしたが、ハイブリット配向でねじれ配向した光学異方素子や、上下基板間で均一にチルト配向した光学異方素子でもハイブリット配向の光学異方素子と類似の特性が得られ、それは液晶表示素子の設計仕様に応じて選択することができる。
【００４１】
さらに図８（ａ）に示すように表裏面２ｄ、２ｅ間の層内て光軸ＯL がスプレイ配列の光学異方素子を用いると、（ｂ）（ｃ）で矢印ＴW に示すように、斜め方向から観測される配列のねじれ角は、より大きくなり良好な補償効果が得られる。またベンド配列についても同様である。
【００４２】
また、ＴＮを例に説明したが、ＳＴＮでも同様の原理が適用できるのでＳＴＮの視角を改善する手段として用いることも可能である。
【００４３】
上述した光学異方素子は、主に「黒つぶれ」や「白抜け」の表示異常に関し大きな改善効果がある。発明者らは、光軸が光学異方素子の厚み方向で、光学異方性が負号の光学異方素子を更に付加すると、更に良い改良効果を得ることを見いだした。次に、光学異方性が負号の光学異方素子を用いる際に視野角特性が改善される原理について説明する。
【００４４】
駆動用液晶セルにしきい値電圧以上の電圧が印加された状態を３次元の屈折率楕円体で表すと図９に示すようになる。Ｚ軸は液晶セルの厚み方向で、ＸＹ面は液晶セルの基板面に相当する。複屈折現象は、この屈折率楕円体ＲA の中心点をある方向からみた時の観測点と、屈折率楕円体ＲA の中心点とを結ぶ線の屈折率楕円体ＲA の中心点上の法線面が、屈折率楕円体ＲA を切断した時に形成される楕円状の切断面の形状（ここでは、２次元面内の屈折率体と呼ぶ）により示される。この２次元面内の屈折率体の長軸と短軸の長さの差が、常光と異常光の位相差に相当し、液晶セルを挟む偏光板の透過軸が互いに直交していれば、その位相差が零のとき液晶セルの透過光は遮断され、位相差が零ではないときにはその位相差と入射光の波長に応じた透過光が生じる。
【００４５】
液晶セルの基板面に垂直に光が入射した場合（すなわち液晶セルを真正面から見たとき）には、２次元面内の屈折率体ＲA4は円となり、常光と異常光の位相差は零となるが、液晶セルの基板面から傾いた方向ＲA1より光が入射した場合、屈折率体ＲA5は楕円となり、常光と異常光の位相差が生じ、真正面方向と斜め方向では液晶セルを透過する光の偏光状態は異なる。
【００４６】
図９の屈折率楕円体ＲA を見る角度、すなわち視角ＲA3を大きくしていくと視軸ＲA1の２次元面内の屈折率体ＲA5はｎRA1 の長さ方向に大きくなり、視軸ＲA1の方向から見た時より大きい透過光が観測される。理想的には、どの方位でも視角を変化したとき、２次元面内の屈折率体の形状が変化しないことが望ましい。
【００４７】
このような光学的な補償は、図１０に示すような円盤状の屈折率楕円体ＲB を図９の屈折率楕円体ＲA のＺ軸上に配置する（すなわち液晶セルの上あるいは下に隣接して配置する）ことにより実現できる。こうすると、視角ＲA3を大きくしていったとき、屈折率楕円体ＲA の２次元面内の屈折率体ＲA5がｎRA1 の長さ方向に大きくなるのに対して、屈折率楕円体ＲB のｎRA2 の長さ方向の屈折率が大きくなり、その結果、合成された２次元面内の屈折率体は円になり、屈折率楕円体ＲA を光学的に補償することができ、視角特性が向上する。
【００４８】
実際の液晶表示素子では駆動用液晶セルの屈折率楕円体は、図９に示したように楕円の長軸は、表示面に対して垂直ではなく、若干傾いている。従って、これを補償する図１０の光学異方素子の屈折率楕円体ＲB はこれに合わせて円盤形状の短軸が傾いているのが好ましい。
【００４９】
実際には図１０に示すような屈折率楕円体は、光軸が連続的にねじれた配列をした光学異方性物質層からなる光学異方素子や、厚み方向よりも面内方向の屈折率の方が小さい材料で構成することにより実現できる。
【００５０】
以下に、光軸が連続的にねじれた配列をした光学異方性物質層からなる光学異方素子で光学異方性が負号の光学異方素子を実現する仕方について説明する。
【００５１】
一般に、駆動用液晶セルは、液晶セルに印加する電圧によって可視の波長領域の光（一般には３８０ｎｍから７５０ｎｍまでの領域）の偏光方向を積極的に変化させて表示している。
【００５２】
一方、本発明の光学補償用の光学異方素子の場合、光学異方性物質層の光軸が連続的にねじれているため、光学異方素子の光学条件によっては旋光性が生じることがある。ここで旋光性とは、光が媒質中を進行するに従ってその光の振動方向が、進行方向を軸として左または右に旋回する性質のことを示す。光軸が連続的にねじれた光学異方素子のリタデーション値を一定とした時、光軸のねじれピッチが長い場合、光はその光軸のねじれに従ってその偏光面を回転させるが、光軸のねじれピッチが短い場合、光はその光軸のねじれに追従できなくなり、旋光現象は起きない。光学異方素子の旋光性が大きいと、素子を透過する光の偏光面を変化させてしまいその結果、コントラスト比を減少させてしまったり、場合によっては光の波長により偏光面が種々変化し、光学異方素子を透過した光が着色するなどの問題が生じる。
【００５３】
従って、少なくとも光学異方素子の可視光に対する旋光性は、駆動用液晶セルの可視光に対する旋光性に比べて小さくなるようにすることが必要である。旋光性は、媒質を透過する光の波長と、光が透過する媒質により大きく依存する。旋光性の大小は、光軸の変化に対する媒質のリタデーション値の変化の度合いで表される。
【００５４】
従って、駆動用液晶セルの旋光性の大小は、駆動用液晶セルの液晶の常光に対する屈折率ｎｏと異常光に対する屈折率ｎｅとの差をΔｎ1 （＝ｎｅ−ｎｏ：屈折率異方性）、液晶層の厚みをｄ1 、液晶層のねじれ配列の角度（ツイスト角）をＴ1 とすると、
Δｎ1 ・ｄ1 ／Ｔ1 ＝ Ｒ1 ／Ｔ1         [1.1] 
但し Ｒ1 ＝Δｎ1 ・ｄ1 （リタデーション値）
で表せる。
【００５５】
同様にして補償用光学異方素子の旋光性の大小は、補償用光学異方素子の光学異方性物質層の屈折率異方性を△ｎ2 、積層された光学異方性物質層の厚みをｄ2 、光学異方性物質層の光軸の総ねじれ角度をＴ2 とすると、
Δｎ2 ・ｄ2 ／Ｔ2 ＝ Ｒ2 ／Ｔ2           [1.2]
但し Ｒ2 ＝Δｎ2 ・ｄ2で表すことができる。
【００５６】
従って、補償用光学異方素子の旋光性と駆動用液晶セルの旋光性の大小関係は、[1.1] 、[1.2] 式から、
（Ｒ1 ／Ｔ1 ）＞（Ｒ2 ／Ｔ2 ）         [1.3]
となる。
【００５７】
光学異方性物質層の光軸が連続的にねじれている光学異方素子中の光の伝搬は、次式によって示されるパラメータで表せる（C.Z.Van Doorn ,Physics Letters42A, 7(1973) ）。
【００５８】
ｆ＝λ／（ｐ×Δｎ）                   [1.4]
但し λは真空中の光の波長（可視の波長範囲）
ｐは光軸のねじれピッチ長（ｐ＝ｄ／Ｔ）。
【００５９】
ｆ＜＜１の場合には、光学異方素子中の光は偏光面が光軸のねじれ角に従い変化し、旋光性を持つ。先述したように光学異方素子は旋光性が小さいことが望ましく、光学異方素子はｆ＞＞１の条件を満たすことが必要である。よって、光学異方素子は、[1.4] 式から、
ｐ×△ｎ＜λ                           [1.5]
が成り立つことが必要である。
【００６０】
ところで、ツイスト角が非常に大きい、すなわち螺旋ピッチの長さが短い液晶をコレステリック液晶と一般に称すが、この液晶の螺旋ピッチの長さｐとコレステリック液晶の平均屈折率ｎとの積ｎ×ｐの値が、可視の波長範囲（条件によって異なり、短波長端は３６０ｎｍから４００ｎｍ、長波長端は７６０ｎｍから８３０ｎｍの範囲）にあると、選択散乱を生じる（J.L.Fergason ; Molecular Crystals. 1. 293(1966) ）。このような現象はコレステリック液晶セルにだけ見られる現象ではなく、光学異方体の光軸が連続的にねじれた光学異方素子でも起こり得る。選択散乱が生じると光学異方素子の着色現象が生じ表示色が変化する。従って、光学異方素子を形成する光学異方性物質層の平均屈折率ｎと、光軸のねじれピッチｐとの積ｎ×ｐが可視の波長範囲から除くようにすると着色現象が防止できる。
【００６１】
また、光学異方素子は、高分子フィルムを延伸することにより光学異方性を生じさせた位相差フィルム（retardation film）を積層したものや、ねじれ配列させた液晶セル、ならびに高分子液晶をねじれ配列させた薄膜により実現できる。この場合、例えば駆動用液晶セルの基板の少なくともどちらか一方にこの高分子層を塗布することにより得られ、製造上容易となりより望ましい液晶表示素子が得られる。例えばポリシロキサン主鎖とし、側鎖にビフェニルベンゾエートとコレステリル基を適当な比で有したような高分子共重合体などを用いることなどができる。又は、アクリロイルオキシ基などを用いた重合性官能基を付与した紫外線により硬化する液晶を用いても本発明の光学異方素子を実現することが可能である。
【００６２】
以下本発明の液晶表示素子の実施形態を詳細に説明する。
【００６３】
（実施形態１）
図１および図２に本実施形態における液晶表示素子の断面図を示す。液晶表示素子は２枚の偏光板１、４（LLC2-92-18:SANRITZ社製） と、これらの間に視角補償用の光学異方素子である液晶セル２と駆動用液晶セル３とを挟む構成を有している。偏光板１は透明基板１ｂの内側に偏光膜１ａを挟んで付けたものであり、偏光板４も同様に透明基板４ｂに偏光膜４ａをつけて形成される。
【００６４】
光学異方素子として視角補償用液晶セル２はこれらの偏光板１、４間に配置され、透明基板２ａ, ２ｂ間に液晶２ｃを介在させた液晶セル構造を有する。基板２ａ, ２ｂは表面にＳｉＯ2 を斜方蒸着し、間にねじれネマティック液晶にカイラル剤S811(E. Merck Co.,ltd 製) を混入した液晶層である光学異方性物質層がねじれ角が２７０゜で導入され、液晶分子は５０°のプレチルト角を保ったまま下側基板２ｂから上側基板２ａへと反時計回りにねじれている（左ねじれ）。視角補償用液晶セル２に用いた光学異方性物質層としての液晶材料の△ｎは０．１８９、螺旋ピッチは1 ．３３μm 、層厚は１μｍである。
【００６５】
駆動用液晶セル３は視角補償用液晶セル２と偏光板４間に配置される。２枚の上側基板３ａと下側基板３ｂのとはそれぞれ透明電極３ｃ、３ｄを形成しており、駆動電源３ｆに接続される。基板３ａ、３ｂ間に正の誘電異方性をもつねじれネマティック液晶（ＺＬＩ−４２８７、E.Merck Co.Ltd．社製）にカイラル剤Ｓ８１１（商品名、E.Merck Co.Ltd．社製）を混入したものが、ねじれ角が９０°で導入され、駆動電源３ｆからの印加電圧に応じて状態を変化する。電圧無印加時はねじれ配列を維持する。
【００６６】
駆動用液晶セル３に用いた液晶のΔｎは０．０９３、液晶層の厚みは５．５μｍである。駆動用液晶セル３の液晶分子は下側基板３ｂから上側基板３ｂへと反時計回りにねじれている（左ねじれ）。本セル３は９０°ツイスト角のにＴＮセルとして動作し、旋光作用により光制御する。
【００６７】
図２（ａ）は本実施形態における液晶表示素子の構成を示す分解斜視図である。(1.1) 及び(4.1) は２枚の偏光板１および４の透過軸であり、これらは互いに直交し(1.1) はＹ軸に対し基板の法線方向である＋Ｚ方向から見て反時計回りに１３５°で配置される。(3.1) 、(3.2) は駆動用液晶セル３の上側基板３ａと下側基板３ｂのラビング軸すなわち配向処理方向で、これらは互いに直交し、Ｙ軸に対しラビング軸(3.1) とのなす角は＋Ｚ方向から見て反時計回りで４５°で配置される。
【００６８】
光学異方素子である視角補償用液晶セル２の(2.1) 、(2.2) はそれぞれ上側と下側の基板２ａ、２ｂのラビング軸で、これらは互いに直交し、視角補償用液晶セル２はラビング軸(2.2) が駆動用液晶セル３のラビング軸(3.1) と平行になるように配置される。すなわち、液晶分子ＬＭの光軸ＯL （図６）はこれらラビング軸に沿って配置され、液晶層が基板のラビング処理された面に接する側における液晶層の光軸となる。
【００６９】
偏光板１は透過軸(1.1) が視角補償用液晶セル２のラビング軸(2.1) と直交するように配置した。
【００７０】
本構成の液晶表示素子を図２（ｂ）の座標系で電気光学特性を測定した。測定時の電圧値（駆動電源３ｆから駆動用液晶セル３の電極３ｃ−３ｄ間に印加する電圧）は、１Ｖから５Ｖまで変化させた。結果を図１１に示す。図１１は上下左右の４方位の印加電圧−透過率特性がそれぞれ示されており、正面から６０゜まで視角を３０゜ごと変化させたときの透過率を示している。理想は、どの視角でも正面（視角θ＝０゜）の透過率曲線と同一であることである。正面の方向では、ある電圧を越えると電圧の増加と共に透過率が減少する。
【００７１】
図１２は従来技術の比較例のＴＮ−ＬＣＤの印加電圧−透過率特性図であるが、下方位の特性は視角が大きくなるに従い透過率が減少する。これは実際に階調表示をした場合には「黒つぶれ」が生じることに相当する。また、視角６０゜での３Ｖ付近の透過率の再増加は、実際の表示では「反転」に相当する。上方位についてみれば、３Ｖの電圧で視角が０゜から６０゜へと大きくなるにつれて、透過率は増加してゆく。これは実際の表示では「白ぬけ」に相当する。
【００７２】
本実施形態の場合、図１１をみると、下方位の透過率の低下および、３Ｖ付近の透過率の再増加が改善されている。すなわち、下方位の黒つぶれと反転が改良されている。また上方位の白抜けも若干改良されているのが、３から５Ｖ領域の視角３０、６０゜の透過率の比較からわかる。
【００７３】
実際に本構成でカラーフィルターを液晶セル内に具備した画面サイズ対角１０インチからなるＴＦＴ−ＬＣＤを作成したところ、方位や視角を変化させても表示内容が識別できる良好なフルカラー表示が得られた。
【００７４】
（比較例１）
実施形態１において、視角補償用液晶セル２が無い場合の電圧−透過率特性を測定した。測定結果を図１２に示す。本比較例では角度によって上方位においては表示が白くなり、下方向においては表示が黒くなったり階調が反転したりする現象が見られた。
【００７５】
（比較例２）
実施形態１において、視角補償用液晶セル２の配向膜としてチルト角が１゜のポリイミドを用いて作製した。それ以外の条件は、実施形態１と全く同一である。電圧−透過率特性を測定結果を図１４に示す。視角補償用液晶セル２のプレチルト角が小さくなることで、正面方向で透過率が完全に下がりきらずコントラスト比の低下が生じる。また、斜め方向の特性も従来例の特性図１２と比較すると分かる通り、上方位を除く方位の特性が悪くなった。
【００７６】
（実施形態２）
図１３は本実施形態における液晶表示素子の構成を示す分解斜視図である。実施形態１において、光学異方素子である視角補償用液晶セル２は下側基板２ｂの液晶と接する面側にポリイミドAL−１０５１（日本合成ゴム製）が塗布され、その表面にラビング処理が施されている。プレチルト角は１゜である。一方、上側基板２ａの液晶と接する側には、垂直配向処理が施されている。用いた液晶材料の△ｎは０．０３９で、液晶層の厚みは４．４μｍである。液晶分子の光軸すなわち光学異方素子の光軸は、駆動用液晶セル３側でセルに平行で、層厚方向に連続的に変化して液晶セル３から離れた側でセル基板の法線方向にほぼ沿っている。ツイスト角は０°である。
【００７７】
(1.1) 及び(4.1) は偏光板１及び４の透過軸であり、これらは互いに直交し(1.1) はＹ軸に対し＋Ｚ方向から見て反時計回りに１３５゜で配置される。(3.1)と(3.2) は駆動用液晶セル３の上側と下側の基板３ａ, ３ｂのラビング軸で、これらは互いに直交し、Ｙ軸に対しラビング軸(3.1) とのなす角は＋Ｚ方向から見て反時計回りで４５゜で配置される。
【００７８】
視角補償用液晶セル２の光軸(2.2) は下側の基板２ｂのラビング軸で、駆動用液晶セル３の上側基板のラビング軸(3.1) に直交し、下側基板のラビング軸(3.2) と平行になるように配置される。
【００７９】
偏光板１の透過軸(1.1) は、駆動用液晶セル３の上側基板のラビング軸( ３.１) と平行になるように配置した。
【００８０】
本構成の液晶表示素子を図２（ｂ）の座標系で電気光学特性を測定した。測定時の電圧値（駆動電源３ｆから駆動用液晶セル３の電極３ｃ−３ｄ間に印加する電圧）は、１Ｖから５Ｖまで変化させた。結果を図１５に示す。比較例１の電圧−透過率特性（図１２）と比較すると、上下方向、特に下方位において、黒つぶれと階調の反転が減少し視角が拡大した。実際に本構成でカラーフィルターを液晶セル内に具備した画面サイズ対角１０インチからなるＴＦＴ−ＬＣＤを作製したところ、方位や視角を変化させても表示内容が識別できる良好なフルカラー表示が得られた。
【００８１】
（実施形態３）
本実施形態の構成図を図１６に示す。実施形態１において、第１の光学異方素子である視角補償用液晶セル２と駆動用液晶セル３との間に、光学異方性が厚み方向を光軸としたとき負号となる第２の光学異方素子である光学異方素子５を配置した。光学異方素子５は、光軸（図１６中にｎz と図示）が厚み方向のＺ軸に対しＸＺ面内で６０゜（δ）傾き、この光軸法線面の屈折率が光軸方向の屈折率より大きい。リタデーション値は−１４０ｎｍである。本構成の液晶表示素子を図２（ｂ）の座標軸で定義される方位により電気光学特性を測定した結果を図１７に示す。比較例１の特性図である図１２と比較するとわかるように、実施形態１の上方位の特性がさらに改善されている。
【００８２】
（実施形態４）
本実施形態の構成を図１８に示す。実施形態２において第１の光学異方素子である視角補償用液晶セル２と駆動用液晶セル３との間に、第２の光学異方素子として、負の光学異方性を持つ光学異方素子５を配置した。構成を図１８に示す。光学異方素子５は、光軸（図１８中にｎＺと図示）がＺ軸と平行で、この光軸法線面の屈折率が光軸方向の屈折率より大きい。リタデーション値は−１４０ｎｍである。本構成の液晶表示素子を図２（ｂ）の座標系で定義される方位により電気光学特性を測定した結果を、図１９に示す。比較例１の特性図１２と比較するとわかるように、実施形態２の上方位の特性が更に改良された。
【００８３】
（実施形態５）
実施形態２において視角補償用液晶セル２と駆動用液晶セル３との間にねじれ角が７２０゜の第２の視角補償用液晶セルを配置した。用いた液晶材料の△ｎは０．０３９、ピッチ長は３．５μｍである。液晶層の厚みは７．０μｍで、配向はポリイミド膜を上下基板間で反対方向にラビングすることにより水平に配向されている。第２の補償セルは、補償セルのラビング軸が、駆動用液晶セル３の下側基板のラビング軸と平行になるように配置した。本構成の液晶表示素子を図２（ｂ）の座標系で定義される方位により電気光学特性を測定した結果を、図２０に示す。従来例である比較例１の特性図１２と比較するとわかるように、実施形態２の上方位の特性が改良された。
【００８４】
（実施形態６）
構成を図２１に示すように、実施形態２において光学異方性物質層を液晶層で形成した液晶セルからなる光学異方素子である視角補償用液晶セル２と駆動用液晶セル３との間に、負の光学異方性を持つ高分子共重合体でできた光学異方素子６を配置した。光学異方素子６は、光軸（図中にｎz と図示）がＺ軸と平行で、この光軸法線面の屈折率ｎx 、ｎy が光軸方向の屈折率ｎz より大きい。リタデーション値は−１００ｎｍである。視角補償用液晶セル２の液晶層の厚みは３．４μｍである駆動用液晶セル３と偏光板４との間には、光学異方素子６と同一の光学異方素子７が駆動用液晶セル３側に配置され、視角補償用液晶セル５が光学異方素子７と偏光板４との間に配置される。視角補償用液晶セル５は、視角補償用液晶セル２と同一の配向膜で作製され上側の基板が(5.1) の矢印の方向にラビングされている。偏光板４の側の基板の視角補償用液晶セル５の液晶に接する側の基板表面には垂直配向処理が施されている。ラビング軸５．１は、駆動用液晶セル３の上側基板のラビング軸３．１と平行である。
【００８５】
本構成の液晶表示素子を図２（ｂ）の座標系で定義される方位により電気光学特性を測定した結果を、図２２に示す。従来例の特性を示す図１２と比較するとわかるように、上下左右全ての方位に関し、本実施形態の方が実施形態２よりも視角特性が改良された。
【００８６】
（実施形態７）
実施形態２において視角補償用液晶セル２と５をポリシロキサン主鎖とし、側鎖にビフェニルベンゾエートとコレステリル基を適当な比で有したような高分子共重合体で作製したところ、実施形態６と同様な特性が得られた。さらに高分子共重合体で光学異方素子を作製することにより、より薄型の液晶表示素子が実現する。
【図面の簡単な説明】
【００８７】
【図１】本発明の実施形態１の構成を示す断面図。
【図２】本発明の実施形態１を説明するもので、（ａ）は構成を示す分解斜視図、（ｂ）は電気光学特性を測定する座標系を説明する図。
【図３】ＴＮ−ＬＣＤの動作原理を説明する図。
【図４】ＴＮ−ＬＣＤの視角特性の発生原理を説明する図。
【図５】ＴＮ−ＬＣＤの視角特性の発生原理を説明する図。
【図６】本発明の光学異方素子の配列状態を示す図。
【図７】本発明の光学異方素子を用いた場合の光学補償原理を説明する図。
【図８】本発明におけるスプレイ配列の光学異方素子を用いた場合の光学補償原理を説明する図。
【図９】電圧印加時の駆動セルの屈折率楕円体を示す図。
【図１０】厚み方向に屈折率異方性が負号の光学異方素子の屈折率楕円体を示した図。
【図１１】実施形態１の液晶表示素子の電気光学特性。
【図１２】従来例の液晶表示素子の電気光学特性。
【図１３】実施形態２の構成を説明する図。
【図１４】比較例の電気光学特性。
【図１５】実施形態２の効果を説明する図。
【図１６】実施形態３の構成を説明する図。
【図１７】実施形態３の効果を説明する図。
【図１８】実施形態４の構成を説明する図。
【図１９】実施形態４の効果を説明する図。
【図２０】実施形態５の効果を説明する図。
【図２１】実施形態６の構成を説明する図。
【図２２】実施形態６の効果を説明する図。
【図２３】従来のＴＮ−ＬＣＤの輝度の視角依存性を示す曲線図。
【符号の説明】
【００８８】
１、４…偏光板
２… 光学異方素子
２ｃ… 光学異方性物質層
３… 駆動用液晶セル
【図１】
2005062901.tif 000003
【図２】
2005062901.tif 000004
【図３】
2005062901.tif 000005
【図４】
2005062901.tif 000006
【図５】
2005062901.tif 000007
【図６】
2005062901.tif 000008
【図７】
2005062901.tif 000009
【図８】
2005062901.tif 000010
【図９】
2005062901.tif 000011
【図１０】
2005062901.tif 000012
【図１１】
2005062901.tif 000013
【図１２】
2005062901.tif 000014
【図１３】
2005062901.tif 000015
【図１４】
2005062901.tif 000016
【図１５】
2005062901.tif 000017
【図１６】
2005062901.tif 000018
【図１７】
2005062901.tif 000019
【図１８】
2005062901.tif 000020
【図１９】
2005062901.tif 000021
【図２０】
2005062901.tif 000022
【図２１】
2005062901.tif 000023
【図２２】
2005062901.tif 000024
【図２３】
2005062901.tif 000025